(57)【要約】【課題】犬や猫などのペットと飼い主などの人間が一緒に楽しんだり各種のサービスを享受することができるだけでなく、安全で質の高い共同生活を送ることができるようサポートすることができる、ペット用テーマパークに於けるペットの総合管理システムを提供する。【解決手段】ペットを対象とする複数のテーマパーク施設を有するペット用テーマパークに於いて、各テーマパーク施設を利用するペットの体内に埋め込まれたマイクロチップと、各テーマパーク施設に設置されると共にマイクロチップに記録されているペット個体情報を読み取るマイクロチップリーダーと、登録されたペット個体情報を記録したデータベースサーバーと、ペットの各テーマパーク施設での利用状況やそこで得られた新たなペット個体情報をデータベースに追加記録すると共にータベースサーバーに記録されているペット個体情報を各テーマパーク施設に提供する管理サーバーと、から構成される。【選択図】        図１
2007222138.tif 000002
【特許請求の範囲】
【請求項１】
犬や猫などのペットを対象とする複数のテーマパーク施設を有するペット用テーマパークに於いて、各テーマパーク施設を利用するペットの体内に埋め込まれた或いはペットの首輪等の装身具に設けられたマイクロチップと、各テーマパーク施設に設置されると共に前記マイクロチップに記録されているペット個体情報を読み取るマイクロチップリーダーと、登録されたペット個体情報を記録したデータベースサーバーと、上記マイクロチップリーダーにより読み取られたペット個体情報を前記データベースサーバーに記録されているペット個体情報と照合してペットの各テーマパーク施設での利用状況やそこで得られた新たなペット個体情報を前記データベースに追加記録すると共に該データベースサーバーに記録されている上記ペット個体情報を前記各テーマパーク施設に提供する管理サーバーと、から構成されることを特徴とするペット用テーマパークに於けるペットの総合管理システム。
【請求項２】
上記管理サーバーが、上記ペットの飼い主など上記テーマパーク施設の利用者を支援する利用者支援機能も有することを特徴とする請求項１に記載のペット用テーマパークに於けるペットの総合管理システム。
【請求項３】
上記テーマパーク施設が、少なくとも、ペット病院、ペットエステ、ペットサロン、ペットスタジオ、ペットホテル、ペットカフェ、イベントホール、イベント広場、トレーニング教室、ペットショップ、ドッグラン、アジェリティーグランド、コミュニティ広場、プール・ジム、ペット美術館・博物館、から選択される施設であることを特徴とする請求項１または２に記載のペット用テーマパークに於けるペットの総合管理システム。
【発明の詳細な説明】
【技術分野】
【０００１】
本発明は、犬や猫などのペットとその飼い主が利用するテーマパーク施設において、その利用状況等を総合的に管理する、ペット用テーマパークに於けるペットの総合管理システムに関する。
【背景技術】
【０００２】
犬や猫などのペットは、古来より人間の癒しの対象として共存し、現代に至っている。
ところで、最近では、犬や猫などのペットは単なる癒しの対象という範疇を超え、家族や地域の一員として生活するようになっている。
特に少子高齢化が進む我が国において、家族構成や地域社会にも変化が現れ、その中で生活するペットにも無視できない問題が生じ始めている。すなわち、高齢化や自立による単身世帯の増加に伴うペットの散歩や宿泊など飼い主へのサポート、ペットの質の高い生活、安全なペットとの共同生活、ペットのストレスや放置、飼い主が死んだ後のペットの世話、飼い主の意識の低さによる地域との摩擦などである。
【０００３】
また従来、人間だけが楽しんだり各種のサービスを享受できる場所・施設等のテーマパークは数多くあるが、犬や猫などのペットと飼い主などの人間が一緒に楽しんだり各種サービスを享受することができる複合的・総合的な場所・施設はなかった。
【発明の開示】
【発明が解決しようとする課題】
【０００４】
本発明が解決しようとする課題は、犬や猫などのペットと飼い主などの人間が一緒に楽しんだり各種のサービスを享受することができるだけでなく、安全で質の高い共同生活を送ることができるようサポートすることができる、ペット用テーマパークに於けるペットの総合管理システムを提供することにある。
【課題を解決するための手段】
【０００５】
本発明のペット用テーマパークに於けるペットの総合管理システムは、犬や猫などのペットを対象とする複数のテーマパーク施設を有するペット用テーマパークに於いて、各テーマパーク施設を利用するペットの体内に埋め込まれた或いはペットの首輪等の装身具に設けられたマイクロチップと、各テーマパーク施設に設置されると共に前記マイクロチップに記録されているペット個体情報を読み取るマイクロチップリーダーと、登録されたペット個体情報を記録したデータベースサーバーと、上記マイクロチップリーダーにより読み取られたペット個体情報を前記データベースサーバーに記録されているペット個体情報と照合してペットの各テーマパーク施設での利用状況やそこで得られた新たなペット個体情報を前記データベースに追加記録すると共に該データベースサーバーに記録されている上記ペット個体情報を前記各テーマパーク施設に提供する管理サーバーと、から構成されることを特徴とする。また、上記管理サーバーが、上記ペットの飼い主など上記テーマパーク施設の利用者を支援する利用者支援機能も有することを特徴とする。さらに、上記テーマパーク施設が、少なくとも、ペット病院、ペットエステ、ペットサロン、ペットスタジオ、ペットホテル、ペットカフェ、イベントホール、イベント広場、トレーニング教室、ペットショップ、ドッグラン、アジェリティーグランド、コミュニティ広場、プール・ジム、ペット美術館・博物館、から選択される施設であることを特徴とする。
【発明の効果】
【０００６】
１）犬や猫などのペットと飼い主などの人間とが、共に楽しみ、満ち足りた空間や時間を共有することができる環境（ペット用テーマパーク）を効果的に提供することができる。
２）人間とペットを核としたエンターテイメントペットライフ、ペットとその生活環境を連動させる環境（ペット用テーマパーク）を提供することができる。
３）テーマパーク施設のペット利用状況をテーマパーク内外に配信・発信して、予約等の利用に役立てることができる。
【発明を実施するための最良の形態】
【０００７】
図１は、本発明のペット用テーマパークの一実施例を示す概念図である。図１において、Ｔはペット用テーマパークであって、敷地内に各種のテーマパーク施設が設けられている。テーマパーク施設は、例えばペット病院１、ペットエステ２、ペットサロン３、ペットスタジオ４、ペットホテル５、ペットカフェ６、イベントホール７、イベント広場８、トレーニング教室９、ペットショップ１０、ドッグラン１１、アジェリティーグランド１２、コミュニティ広場１３、プール・ジム１４、ペット美術館・博物館１５などである。
【０００８】
各テーマパーク施設には、マイクロチップリーダーＲを設置しておく。該マイクロチップリーダーＲは、ペットの体内に埋め込んだマイクロチップや、首輪等の装身具に取り付けたＩＣタグのマイクロチップから発信されるペット個体情報を非接触方式で授受する。該ペット個体情報としては、ペットの名前、性別、年齢、飼い主の名前や住所などの基本情報であるが、下記のように、ペット用テーマパークＴの利用履歴や、各テーマパーク施設の利用履歴や病歴などの利用履歴も追加記録できるようになっている。
【０００９】
上記マイクロチップリーダーＲは、管理サーバーＣを介してデータベースサーバーＢに有線あるいは無線により接続されている。上記管理サーバーＣは、上記マイクロチップリーダーＲにより読み取られたペット個体情報を、上記データベースサーバーＢのデーターと照合し、ペット用テーマパークＴの利用履歴や、各テーマパーク施設の利用履歴や病歴などの利用履歴をデータベースサーバーＢに追加記録する。
【００１０】
また、上記管理サーバーＣには利用者支援機能も持たせてもよい。利用者支援機能とは、ペットの飼い主などが自宅のパソコンなどを利用してペット用テーマパークＴの利用予約をしたり、携帯電話等の端末器を通じて各テーマパーク施設でのペットの挙動をリアルタイム伝えるようになっている。この場合、ペットの位置情報などはＧＰＳを利用することもできる。
この端末器には、テーマパーク内のサービス情報などが配信されたり、端末器を通じて施設利用の予約が出来るようになっている。該利用者支援サーバーＭには、施設内に設置された表示パネルが接続され、利用状況などの必要な情報が表示されるようになっている。
【００１１】
なお、本テーマパーク内あるいはインターネット等を通じて、マイクロチップを新たに購入し、登録することも可能である。
【００１２】
次に、上記各種のテーマパーク施設における管理システムについて詳細に説明する。
上記ペット病院１では、獣医等によりペットの診察や治療を行ったり、獣医・ブリーダー・トレーナー等による健康相談も行う。ペットの病歴・治療歴などのペット個体情報は、管理サーバーＣを通じてデータベースサーバーＢに記録される。また、該データベースサーバーＢに記録されている上記ペット個体情報は、逆に前記各テーマパーク施設に提供される。
【００１３】
上記ペットエステ２では、マッサージをはじめ、砂やコーヒー豆、酵素などの蒸し風呂で犬のストレスや慢性胃腸病、関節炎などのリハビリ効果を得る。また、薬浴、ビームなどで皮膚を殺菌し、アトピーの予防・改善をする。ペットエステ２におけるリハビリ歴などのペット個体情報は、管理サーバーＣを通じてデータベースサーバーＢに記録される。
【００１４】
上記ペットサロン３では、トリマーやスタイリストによって、ペットを更にビューティアップする。一般トリミングをはじめ、カラーリングやヘヤースタイリングを提供する。ペットサロン３において提供されるサービス歴などのペット個体情報は、管理サーバーＣを通じてデータベースサーバーＢに記録される。
【００１５】
上記ペットスタジオ４では、新年用・クリスマス用・バースデイ用・引越し用など各種のグリーティングや記念のためのプロによる撮影を行う。ペットスタジオ４において提供される撮影歴などのペット個体情報は、管理サーバーＣを通じてデータベースサーバーＢに記録される。
【００１６】
上記ペットホテル５では、空港やキャンプ場などペットを同伴できない場所へ飼い主が行く場合にペット宿泊させる。一般のペット預かりも行う。ペットホテル５において提供される宿泊歴などのペット個体情報は、管理サーバーＣを通じてデータベースサーバーＢに記録される。
【００１７】
上記ペットカフェ６では、ペット専用のメニューもあるレストランであり、飼い主などの
人間と一緒に食事を楽しむことができる。ペットカフェ６において食べた食品などのペット個体情報は、管理サーバーＣを通じてデータベースサーバーＢに記録される。
【００１８】
上記イベントホール７では、コンテストやかけっこレース・尾っぽ振り大会・飼い主とそっくり大会・瞬間芸大会・仮装大会・飼い主との信頼度コンテスト・飼い主と障害物レースなどの楽しいイベントやコンテストを恒常的に開催する。イベントホール７において参加したイベント記録などのペット個体情報は、管理サーバーＣを通じてデータベースサーバーＢに記録される。
【００１９】
上記イベント広場８では、上記イベントやコンテストの他に、フリーマーケットなどを開催する。イベント広場８において参加したイベント記録やフリーマーケットなどでの利用記録などのペット個体情報は、管理サーバーＣを通じてデータベースサーバーＢに記録される。
【００２０】
上記トレーニング教室９では、家庭犬から警察犬までの預かり訓練など、各種訓練を行う。トレーニング教室９において受けた訓練内容や成績などのペット個体情報は、管理サーバーＣを通じてデータベースサーバーＢに記録される。
【００２１】
上記ペット用ショップ１０では、コスチューム・輸入犬具・高級ブランド用品・アクセサリ類・小物類・ペットフード類・食器・ハウス・書籍などのペット用商品を販売する。
また、子犬の直販・通販サービスも行う。さらに、コスチュームやアクセサリ、小物類などのレンタルも行う。ペット用ショップ１０での買い物やレンタルなど提供されたサービス内容などのペット個体情報は、管理サーバーＣを通じてデータベースサーバーＢに記録される。
【００２２】
上記ドッグラン１１は、周囲に木々や花々を植栽した大小数カ所の広々した場所で、一般犬のフリーランや、警察犬デモンストレーションや各種競技会も開催できるようになっている。ドッグラン１１におけるフリーランや各種競技会に参加した記録などのペット個体情報は、管理サーバーＣを通じてデータベースサーバーＢに記録される。
【００２３】
上記アジェリティーグランド１２は、アジェリティー（障害物）競技を行う。アジェリティーグランド１２における競技会に参加した記録などのペット個体情報は、管理サーバーＣを通じてデータベースサーバーＢに記録される。
【００２４】
上記コミュニティ広場１３は、犬と触れ合うことのできる広場であって、犬を飼っていない人達も犬とのコミュニケーションを楽しむこともできる施設である。
【００２５】
上記プール・ジム１４は、プール・ルームランナー・ジャグジーなどを備え、肥満犬やアトピー犬などの体力造りや食事のアドバイスも行う。プール・ジム１４における利用状況などのペット個体情報は、管理サーバーＣを通じてデータベースサーバーＢに記録される。
【００２６】
上記ペット美術館・博物館１５には、ペットなどの動物を題材にした絵や彫刻などの美術品を展示したり、ペットの歴史や世界のペット情報等の博物情報を写真、パネルやはく製などで展示する。ペット美術館・博物館１５における利用状況などのペット個体情報は、管理サーバーＣを通じてデータベースサーバーＢに記録される。
【００２７】
テーマパーク内におけるペットや子供・年寄りなどの人間の位置情報はＧＰＳ（全地球測位システム）を利用してパーク内に設置されたディスプレイや携帯電話等の情報端末機器に表示できるようにすることもできる。本ペットの位置情報も、管理サーバーＣを通じてデータベースサーバーＢに記録される。
【００２８】
テーマパーク内には監視カメラが設置され、その映像情報は、上記ディスプレイや携帯電話等の情報端末機器に表示され、必要に応じて管理サーバーＣを通じてデータベースサーバーＢに記録される。
【００２９】
また、テーマパークの内外にはペット葬儀場や霊園が設けられていて、その利用状況を管理サーバーＣにより管理し、必要に応じてデータベースサーバーＢに記録される。
【００３０】
さらに、テーマパークの内外ではペット保険の利用サービスが提供され、その利用情報は管理サーバーＣを通じてデータベースサーバーＢに記録される。ペット保険には、ペット健康保険、ペット傷害保険、ペット生命保険が含まれる。また、ペット遺言のサービスも提供される。
【００３１】
更に又、テーマパークの内外では、上記データベースサーバーＢに記録されている血統情報などのペット個体情報に基づくペットの交配支援サービスが提供される。
【図面の簡単な説明】
【００３２】
【図１】本発明のペット用テーマパークに於けるペットの総合管理システムを説明する概念図である。
【符号の説明】
【００３３】
１    ペット病院
２    ペットエステ
３    ペットサロン
４    ペットスタジオ
５    ペットホテル
６    ペットカフェ
７    イベントホール
８    イベント広場
９    トレーニング教室
１０  ペット用ショップ
１１  ドッグラン
１２  アジェリティーグランド
１３  コミュニティ広場
１４  プール・ジム
Ｒ    マイクロチップリーダー
Ｃ    管理サーバー
Ｂ    データベースサーバー
【図１】
2007222138.tif 000003